(57)【特許請求の範囲】
【請求項１】
固定用手回しネジが取り付けられ、重心位置調整用の伸縮自在の補助足を有する２本の脚を含む４本の脚でゴミ圧縮装置を支持した構造のプレス機本体と、
プレス機本体の４本の脚で形成されるスペース内に設置され、３つのゴミ収納部を有するゴミ収納箱と、
前記３つのゴミ収納部に対応した３口式ゴミ投入口と、
前記ゴミ圧縮装置及び３口式ゴミ投入口を駆動制御する制御装置と、
を備え、前記制御装置は、前記ゴミ圧縮装置を満杯検知動作、定刻動作させ、ゴミ圧縮装置の動作中ゴミ投入口をロックすることを特徴とするリサイクルダストボックス。
【請求項２】
リサイクルダストボックスは鉄道車両に設置され、前記制御装置は、ゴミ圧縮装置を満杯検知動作、定刻動作させることを特徴とする請求項１記載のリサイクルダストボックス。
【請求項３】
前記制御装置は、自動／手動スイッチ、圧縮・戻しスイッチ、リセットボタン、圧縮装置復帰ボタンが設置されていることを特徴とする請求項１記載のリサイクルダストボックス。
【請求項４】
前記制御装置は、非常停止ボタン操作時、表面パネル開放時はゴミ圧縮装置を停止させることを特徴とする請求項１記載のリサイクルダストボックス。
【請求項５】
前記ゴミ収納箱は、左右のゴミ収納部の前側に新聞・雑誌収納部が配置され、新聞・雑誌収納部の前面は前扉からなり、新聞・雑誌収納部と圧縮ゴミ収納部との境界は中扉からなることを特徴とする請求項１記載のリサイクルダストボックス。
【請求項６】
前記ゴミ収納箱は、３つのゴミ収納部に設けたゴミ袋を固定するための押さえ板が設けられていることを特徴とする請求項１記載のリサイクルダストボックス。
【請求項７】
前記ゴミ収納箱は、左右にプレス機本体への固定用ロックレバーが設けられていることを特徴とする請求項１記載のリサイクルダストボックス。
【発明の詳細な説明】
【０００１】
【発明の属する技術分野】
本願発明は特急列車、新幹線等の鉄道車両、駅ホーム等に設置してゴミを分別回収し、リサイクルを図るのに好適なリサイクルダストボックスに関する。
【０００２】
【従来の技術】
乗降客の多い駅のホーム、特急列車、新幹線等ではゴミの発生が極めて多く、その回収作業は極めて大変であるとともに、資源再利用の観点から重要な業務となっている。
この対策として本出願人は、高密度に一般ゴミを収納してゴミ収納箱容量の拡大を図り、ビン、缶を分別し、缶については圧縮収納できるようにしたリサイクルダストボックスを既に提案している（特願平６ー８６３２７号）。
【０００３】
【発明が解決しようとする課題】
ところで、このようなリサイクルダストボックスは、狭いスペースへ設置しなければならない場合が多く、また、ゴミ収納箱からのゴミの回収を効率的に行えるようにすることが要請され、また、圧縮収納する際の安全性を確保することも要請されている。
本発明は上記課題を解決するためのもので、狭いスペースに容易に設置できるようにコンパクト化するとともに、ゴミ収納箱からのゴミの回収作業負担を軽減化し、かつ圧縮収納する際の安全性を確保することができるリサイクルダストボックスを提供することを目的とする。
【０００４】
【課題を解決するための手段】
本発明は、固定用手回しネジが取り付けられ、重心位置調整用の伸縮自在の補助足を有する２本の脚を含む４本の脚でゴミ圧縮装置を支持した構造のプレス機本体と、プレス機本体の４本の脚で形成されるスペース内に設置され、３つのゴミ収納部を有するゴミ収納箱と、前記３つのゴミ収納部に対応した３口式ゴミ投入口と、前記ゴミ圧縮装置及び３口式ゴミ投入口を駆動制御する制御装置とを備え、前記制御装置は、前記ゴミ圧縮装置を満杯検知動作、定刻動作させ、ゴミ圧縮装置の動作中ゴミ投入口をロックすることを特徴とする。
また、本発明は、リサイクルダストボックスが鉄道車両に設置され、所定速度以上であることを条件に、前記制御装置は、ゴミ圧縮装置を満杯検知動作、定刻動作させることを特徴とする。
また、本発明は、制御装置が自動／手動スイッチ、圧縮・戻しスイッチ、リセットボタン、圧縮装置復帰ボタンが設置されていることを特徴とする。
また、本発明は、前記制御装置が非常停止ボタン操作時、表面パネル開放時はゴミ圧縮装置を停止させることを特徴とする。
また、本発明は、前記ゴミ収納箱が、左右のゴミ収納部の前側に新聞・雑誌収納部が配置され、新聞・雑誌収納部の前面は前扉からなり、新聞・雑誌収納部と圧縮ゴミ収納部との境界は中扉からなることを特徴とする。
また、本発明は、前記ゴミ収納箱が、３つのゴミ収納部に設けたゴミ袋を固定するための押さえ板が設けられていることを特徴とする。
また、本発明は、前記ゴミ収納箱は、左右にプレス機本体への固定用ロックレバーが設けられていることを特徴とする。
【０００５】
【発明の実施の形態】
以下、本発明の実施の形態について説明する。
図１は本発明のリサイクルダストボックスの外観図、図２はリサイクルダストボックスの表面パネルを開けた状態の斜視図である。
図１に示すように、リサイクルダストボックス１０は、鉄道車両等の限られたスペースに設置できるように単体のボックスからなり、表面パネルには３口式ゴミ投入口、すなわち、その他のゴミ投入口１２、カン・ビン投入口１３、新聞・雑誌投入口１４が設けられている。図２に示すように、リサイクルダストボックス１内には、ゴミ収納箱２０、その他のゴミを圧縮するためのプレス機本体３０が設置されている。後述するように、プレス機本体３０は４本の脚でゴミ圧縮装置を支持する構造であり、この４本の脚の間にゴミ収納箱２０が納まるようにして全体としてコンパクト化を図っている。また、表面パネル１１の裏面にはプレス機本体、ゴミ投入口を制御する制御装置１５が取り付けられている。
【０００６】
図３はゴミ収納箱を説明するための図であり、図３（ａ）は平面図、図３（ｂ）は側面図、図３（ｃ）は正面図、図３（ｄ）は図３（ｂ）のＥ−Ｅ断面図である。
ゴミ収納箱２０は１つの箱からなっていて、その他のゴミ用、カン・ビン用、新聞・雑誌用に分けられ、左右がその他のゴミ収納部２１、カン・ビン収納部２２、前側が新聞・雑誌収納部２３となっている。新聞・雑誌収納部２３の前面は前扉２４となっており、新聞・雑誌収納部２３とその他のゴミ収納部２１との間は中扉２５となっている。ゴミ収納箱は、その後面が図３（ｂ）に示すように、下側部分にテーパーをつけてゴミ圧縮装置によってゴミがかき上げられても自重により落下するようにしている。
ゴミ収納箱の正面側の左右には、ゴミ収納箱をプレス機本体３０へ固定するためのロックレバー２６が設けられ、また、ゴミ収納箱の底部の４隅にはそれぞれキャスタ２７が設けられて、リサイクルダストボックスへの収納、取り出しが容易にできるようになっている。ゴミ収納箱のプレス機本体内への設置方法は、キャスタで転がしながらプレス機本体に当たるまで押し込み、ロックレバー２６を上部に引いて固定する。
【０００７】
ゴミ収納箱２０の各収納部には、図示しない回収用ビニール袋を敷いて上端を収納箱の上部まで延ばし、図４に示した押さえ板２８で、各回収用ビニール袋の上部を収納箱の上縁に挟んで固定している。これは、ゴミ圧縮装置によって巻き上げられるのを防止するためである。なお、図の２８ａがカン・ビン収納部２２、２８ｂがその他のゴミ収納部２１に対応している。
【０００８】
ゴミの回収作業は、設置方法と逆動作でゴミ収納箱を引き出して行う。すなわち、ロックレバー２６を下部に引いて外し、プレス機本体３０からゴミ収納箱２０を引き出し、新聞・雑誌ゴミは前扉２４を開けて回収用ビニール袋を取り出し、その他のゴミは、中扉２５を開けて回収用ビニール袋をゴミ収納部２１から引き出し、カン・ビンはその回収用ビニール袋を持ち上げて取り出す。
【０００９】
図５は本発明のプレス機本体を説明する図である。
プレス機本体３０は、ゴミ圧縮装置３１を４本の脚３２で支持する構造で、前側の２本の脚には、伸縮自在の補助足３５が設けられ、各脚３２には固定用手回しネジ３３が取り付けられて、工具を用いずに設置できるようになっており、また、先端部にはキャスタ３４が取り付けられて移動を容易にしている。なお、３１ｃはスイングアーム、３１ｄはゴミ押し板である。
【００１０】
プレス機本体３０は、図５に示すように補助脚３５を伸ばした状態でリサイクルダストボックスに設置されるが、ゴミ圧縮装置３１が後部にあるため、重心位置が後部にあって不安定であり、この姿勢でプレス機本体を移動すると転倒の可能性がある。そこで、図６に示すように、移動に際しては補助足３５を脚内に収めてプレス機本体を約２０°前側へ倒し、重心を中心部に移行させて安定を図るようにする。
【００１１】
図７はリサイクルダストボックスへプレス機本体とゴミ収納箱を設置する様子を示す図である。
リサイクルダストボックス１０の表面パネル１１を開け、プレス機本体３０の補助足を伸ばして姿勢を水平にし、リサイクルダストボックス内に押し込んで固定用手回しネジ３３をネジ座レール４１に係合させ、この状態でプレス機本体のキャスタが車輪止め４２に当たるまで押し込み、固定用手回しネジ３３で固定する。次いで、ゴミ収納箱２０をキャスタ２７で転がしてプレス機本体３０に当たるまで押し込み、ロックレバー２６で固定する。
【００１２】
次に、図８、図９によりゴミ圧縮装置について説明する。
図８はゴミ圧縮装置の概略を説明する斜視図で、制御装置１５により駆動モータ３１ｃ、減速機３１ｄを介してスイングアーム３１ａを駆動制御する。スイングアームは、先端部に取付けられたゴミ押し板（図示を省略）を拡げながら、ゴミ投入口裏側付近のゴミをかき込み、後方へ移送する。このとき、アームは最大８５°揺動し、２秒間ゴミを圧縮し、その後、駆動モータ３１ｃは反転し、圧縮時と逆動作で所定の位置に戻る。
【００１３】
図９はゴミ圧縮装置のスイングアームの動作を説明する図である。
図９において、スイングアーム３１ａは、図示するように軸３１ｅを回転軸として先端部が時計・反時計方向に回転する。一対のスイングアーム３１ａの間にはゴミ押し板３１ｂが軸３１ｆで取付けられていて、始動位置においてはゴミ押し板３１ｂはスイングアーム３１ａと平行にたたまれている。そして、スイングアームの回転に伴って軸３１ｆも回転駆動されるようになっており、スイングアームの回転にともなってゴミ押し板３１ｂが徐々に外側に振りだされ、９０°ほど回転したところではスイングアームとゴミ押し板は平行になってゴミを奥側へ押しつけられるようになっている。
【００１４】
次に、図１０により制御装置によるリサイクルダストボックスの制御について説明する。
制御装置１５はＣＰＵを内蔵し、その他のゴミが所定レベルに達したことを光学的に検知する満杯センサ５１からの信号を取り込み、また、ゴミ圧縮装置を定刻動作させる際の時間設定を行うタイマー５２による設定時間のデータを取り込んでゴミ圧縮装置３１を動作させている。すなわち、満杯検知センサ５１で投入されたその他のゴミが設定したレベルまで堆積すると始動し、また、タイマー５２による設定時間サイクル、例えば１５分毎に定刻動作する。
【００１５】
このゴミ圧縮時には、安全のためにソレノイド６１を駆動して、運転表示灯６２を点灯して利用者に知らせるとともに、ゴミ投入口をロックする。また、何らかの要因で投入口１２が開いてしまった場合は、リミットスイッチ５３で開放を検知してスイングアームを停止させる。また、最大圧縮時は、駆動部に設置したトルクリミッタ（図示せず）、電源部に設置した過電流検知で検知して定位置で停止する。
【００１６】
さらに制御装置１５には自動／手動スイッチ５４が設置されて、自動運転、手動運転が可能なようになっており、手動運転に切り換えた状態で、圧縮・戻しスイッチ５５を操作することにより、スイングアームを圧縮、或いは戻し動作させることができる。また、何等かの要因で故障表示灯６３で故障表示が行われ、その後故障原因が取り除かれたときに装置を初期状態にセットするリセットボタン５６が設置されている。また、圧縮機復帰ボタン５７が設置され、スイングアームが緊急停止した場合、ゴミ圧縮起動ラインを強制的に短絡させることができる。また、表面ぱネルに設置された緊急操作ボタン５８の信号が取り込まれると、スイングアームを戻し動作するようになっている。
【００１７】
【発明の効果】
以上のように本発明によれば、プレス機本体は補助足を使ってその角度を変えて重心を中心位置へ移動させ、安定な姿勢で移送して簡単に設置でき、３槽式ゴミ収納箱をこのプレス機本体内部に配置することにより、限られたスペースにコンパクトに、かつ容易に設置することができる。また、ゴミ圧縮装置は制御装置により駆動制御されて、満杯動作、定刻動作、自動運転、手動運転、緊急停止灯が可能で、一層の安全性を図ることができる。また、ゴミ収納箱は、堆積される量の多い新聞・雑誌、圧縮ゴミは前扉、中扉を開けることで、それぞれゴミ袋を容易に引っ張り出すことができ、ゴミ回収作業の労力を軽減することが可能となる。
【図面の簡単な説明】
【図１】  本発明のリサイクルダストボックスの外観図である。
【図２】  リサイクルダストボックスの表面パネルを開けた状態の斜視図である。
【図３】  ゴミ収納箱を説明するための図である。
【図４】  ゴミ収納箱の押さえ板を示す図である。
【図５】  本発明のプレス機本体を説明する図である。
【図６】  本発明のプレス機本体を説明する図である。
【図７】  リサイクルダストボックスへプレス機本体とゴミ収納箱を設置する様子を示す図である。
【図８】  ゴミ圧縮装置の概略を説明する斜視図である。
【図９】  ゴミ圧縮装置のスイングアームの動作を説明する図である。
【図１０】  制御装置を説明するブロック図である。
【符号の説明】
１０…リサイクルダストボックス、１１…表面パネル、１２…その他のゴミ投入口、１３…カン・ビン投入口、１４…新聞・雑誌投入口、１５…制御装置、２０…ゴミ収納箱、２１…その他のゴミ収納部、２２…カン・ビン収納部、２３…新聞・雑誌収納部、２４…前扉、２５…中扉、２６…ロックレバー、２７…キャスタ、２８…押さえ板、３０…プレス機本体、３１…ゴミ圧縮装置、３１ａ…スイングアーム、３１ｂ…ゴミ押し板、３１ｃ…駆動モータ、３１ｄ…減速機、３２…脚、３３…固定用手回しネジ、３４…キャスタ、３５…補助足、４１…ネジ座レール、４２…車輪止め。
【図１】
0003783978.tif 000002
【図２】
0003783978.tif 000003
【図３】
0003783978.tif 000004
【図４】
0003783978.tif 000005
【図５】
0003783978.tif 000006
【図６】
0003783978.tif 000007
【図７】
0003783978.tif 000008
【図８】
0003783978.tif 000009
【図９】
0003783978.tif 000010
【図１０】
0003783978.tif 000011